(57)【特許請求の範囲】
【請求項１】
所定の伝送路を介してカメラコントロール部からカメラヘッド部へ複数の符号化信号を伝送するカメラシステムの信号伝送制御方法において、
上記複数の符号化信号の内、上記カメラコントロール部で符号化したプロンプト信号が上記カメラヘッド部に入力され、かつ上記符号化したプロンプト信号を復号化する復号化部の出力段の電位に基づき上記復号化部にプロンプト装置が接続されているのを検出したときのみ、上記符号化したプロンプト信号の復号化処理動作を行うよう制御することを特徴とする信号伝送制御方法。
【請求項２】
カメラコントロール部とテレビジョンカメラヘッド部を所定の伝送路を介して接続し、少なくとも、上記カメラコントロール部で圧縮符号化したプロンプト信号を上記伝送路を介して上記テレビジョンカメラ部に伝送し、該テレビジョンカメラ部で復号伸張するカメラシステムにおいて、
上記テレビジョンカメラヘッド部に、少なくとも、上記カメラコントロール部からの符号化したプロンプト信号が入力されるのを検出すると共に上記符号化したプロンプト信号を復号伸張する復号化部の出力段の電位に基づき上記復号化部にプロンプト装置が接続されているのを検出したときのみ、上記復号伸張を行わせるよう上記復号化部を制御する手段を有することを特徴とするカメラシステム。
【発明の詳細な説明】
【０００１】
【発明の属する技術分野】
本発明はデータ、特に圧縮動画像信号を伝送し、伝送先で再生する装置の改良に関するものである。
【０００２】
【従来の技術】
画像処理技術、とりわけ画像情報、音声情報の圧縮技術は、めざましい発展を遂げており、容量の小さい伝送路であっても高品質な動画像や音声の伝送が可能となっている。以下、テレビジョンカメラに適用した場合を例として説明する。
放送局で多用されるハイレベルなテレビジョンカメラは、テレビジョンカメラヘッド部(以後、ヘッド部と呼ぶ)と、カメラコントロール部（以後、ＣＣＵ部と呼ぶ）が、別体で構成された形式である。
このような構成においては、ヘッド部側からＣＣＵ部側へ、映像・音声を送る伝送回線がメインであるが、ＣＣＵ部側からヘッド部側へ送る、逆方向の回線も必要とされる。この逆方向回線の内容は、カメラ操作者等への映像、音声、制御情報等である。
逆方向回線の映像は、一般的には２系統あり、第１の映像はヘッド部側でカメラを操作するカメラマンに、他のカメラが撮影中の放送映像等を参照させる目的の送り返し映像(以後、ＲＥＴと略す)で、第２の映像はニュース番組等でアナウンサへの原稿等を画像表示するための映像(以後、プロンプトと略す)である。なおプロンプト装置は、カメラのレンズ前に設置したハーフミラーに原稿映像を映し出すもので、アナウンサはカメラを注視したまま原稿を読むことができる。
制御情報は、ＣＣＵやカメラヘッドの状態等を相手方に送るために必要である。
【０００３】
従来は、ヘッド部とＣＣＵ部をアナログ信号で結ぶ方式であったが、昨今は、ヘッド部、ＣＣＵ部各々の内部処理を、ディジタル処理で行うカメラシステムが広まりつつあり、ディジタル信号にて伝送を行うカメラも発表され始めた。
一般的に、ディジタル伝送の場合、伝送可能な情報量と伝送距離は、反比例の関係にある。そのため、ＲＥＴ回線等のデータ量は、圧縮処理により、伝送する情報量を減少させ、より長い伝送距離の確保を目指す傾向にある。しかし、この圧縮、復号化処理は、処理の複雑さ、高速性から特に多くの電力を要する。
ところで、ヘッド部は、可搬性等を考慮し、より小型軽量化され、発熱に対する余裕度が減少している。  また、ＣＣＤ等の撮像素子は、より低温である方が高い性能を出す。  従って、低電力化は優れたカメラシステムを成立させる上で重要な要素である。
【０００４】
【発明が解決しようとする課題】
ところで、カメラマンによる撮影の一般的な運用形態としては、約５〜１０秒おきに、約０．５〜１秒間程度、ＲＥＴ回線の画像を目視で確認する。この一連の確認は、番組収録中の２０〜３０分間に限られる。ただし、カメラ自体は収録の数時間前から撮影位置に据えられ、電源を入れたまま待機する形態が多く大半の期間、ＲＥＴ回線による送り返し映像は利用されない。また、プロンプト映像は、アナウンサや司会者を映す特定のカメラにのみ必要とされるものであるが、複数台のカメラを使用するシステムでは、ＣＣＵ部が１ヶ所で集中管理されているため、プロンプト信号は必要としないカメラセットにも供給されてしまう。
従来は、ＲＥＴ信号やプロンプト信号を必要としない場合であっても、常に、それぞれの復号化部を動作させていたため、余計な電力を消費するといった問題があった。
【０００５】
この問題点を解決し、カメラの低消費電力化を図ったものとしては、本出願人により出願された、「伝送方法およびその装置」(特願平７−１００９４１号)、「信号伝送制御方法および信号伝送装置」(特願平７−２９５８１３号)等がある。
図５に、このカメラシステムの構成を示す。
以下、ＣＣＵ部１の動作について述べる。  符号化部４Ｒ，４Ｐは、入力されたＲＥＴ，プロンプト信号をそれぞれ圧縮データに変換する。  入力有無検出部９Ｉは、符号化部４Ｐにプロンプト信号が入力されていることを検出すると論理１を出力する。  具体的には、周期的に入力される同期パルス等をトリガにした単安定バイブレータ等で実現できる。
ＣＣＵ伝送部５は、処理部３と符号化部４Ｒ，４Ｐからのヘッド部２Ａへの各種データを伝送データに変換統合し、ヘッド部２Ａのヘッド伝送部１１へ送る。
また、ヘッド部２Ａから送られてきた伝送データを各種データに変換分離する。
【０００６】
次に、ヘッド部２Ａの動作について述べる。  ヘッド伝送部１１は、ＣＣＵ部１からヘッド部２Ａへの伝送データを、送り返し用の映像圧縮データと音声データ等に変換分離する。  また、ヘッド伝送部１１は、撮影収録した映像音声データをＣＣＵ部１への伝送データに変換統合し、伝送路１２を介してＣＣＵ部１へ送る。  ここで、復号化部７Ｒは、制御端子に論理１が入力すると、圧縮されたＲＥＴ信号を復号化して表示部８の第１の映像入力端子に出力し、復号化部７Ｐは、制御端子に論理１が入力すると圧縮されたプロンプト信号を復号化して端子ＰＯに出力する。  表示部８は、操作部１０からの制御信号、すなわち切り替え端子の論理値に従い、ＲＥＴ信号もしくは処理部６からの現在撮影している映像信号を表示出力する。  本説明では、論理１にてＲＥＴ映像が、選択表示されるものとする。  ここで、復号化部７Ｒ，７Ｐの一実施例を図２に示す。これは、スタンバイ機能を持つ復号チップ７−１からなる。  復号チップ７−１は、スタンバイ端子に論理１の制御信号が入力されると、符号データ入力端子の圧縮された符号データを復号し、復元された映像信号を、出力端子に出力する。  具体的には、ＭＤ３６０５０Ｘ(富士マイクロデバイス社)等のＬＳＩにて実現できる。
【０００７】
次に、このシステムの全体動作について述べる。撮影中、被写体の映像を見ていたカメラマンが、ＲＥＴ映像を必要とした場合、操作部１０を操作する。
これにより、操作部１０から対応した制御信号が出力され、表示部８は、この制御信号によって、表示映像を復号化部７ＲのＲＥＴ信号に切替える。  また、ＣＣＵ部１にてプロンプト信号入力がある場合、ヘッド部２Ａの復号化部７Ｐを動作させ、プロンプト信号入力がない場合は復号化部７Ｐの動作を停止させる。
これは、伝送する各種の信号の内、必要としない信号、入力のない信号については、復号化等の処理動作を停止またはスタンバイ状態とし、必要とする信号が入力された場合のみ、復号化部等を動作させ、低消費電力化を実現している。
しかしながら、前述のように、複数台のカメラセットを用いるシステムの運用形態では、プロンプト映像の利用の有無にかかわらず、プロンプト信号は全てのカメラに入力されるため、プロンプト映像を利用しないカメラセットにおいて、不要な復号化等の処理動作をしてしまうこととなり、低消費電力化の効果が半減してしまう。
本発明はこれらの欠点を除去し、プロンプト映像等の利用状況に応じて、低消費電力化の図れる圧縮データの伝送システムを実現することを目的とする。
【０００８】
【課題を解決するための手段】
本発明は上記の目的を達成するため、所定の伝送路を介して複数の符号化信号を伝送する伝送システムにおいて、上記複数の符号化信号の内の所定の符号化信号を使用する場合、当該使用する符号化信号が当該伝送システムに入力され、かつ当該符号化信号が当該伝送システムで利用されていることを検出した場合のみ、当該符号化信号の復号化処理動作を行うよう制御するようにしたものである。
特に、ＣＣＵ部側で圧縮符号化したプロンプト信号をカメラヘッド部側に伝送する伝送システムにおいて、ＣＣＵ部側に圧縮符号化したプロンプト信号が入力された状態で、かつ、カメラヘッド部側にてプロンプト出力が真に利用されている場合のみ、プロンプト信号の復号化部を復号化動作させる構成、制御としたものである。
その結果、プロンプト映像を利用しないカメラセットにおいては、復号化の処理動作をしてしまうことがなくなり、消費電流を低減でき、低電力で小型のカメラシステムを実現することができる。
【０００９】
【発明の実施の形態】
以下、本発明を実現する伝送システムの一例として、ＣＣＵ付カメラシステムの構成例を図１に示し、詳細に説明する。
ＣＣＵ部１とヘッド部２は、伝送路１２を介して、お互いが接続されている。
ＣＣＵ部１は、処理部３、符号化部４Ｒ，４Ｐ、入力有無検出部９Ｉ、ＣＣＵ伝送部５とから構成され、内部の接続・動作等は、図５にて説明したものと同一である。
ヘッド部２は、図５と同様のヘッド伝送部１１、処理部６、復号化部７Ｒ，７Ｐ、表示部８、操作部１０に、制御部９Ｐ、出力利用検出部９Ｏを追加した構成である。
ヘッド伝送部１１の上りＲＥＴ，プロンプト映像出力は復号化部７Ｒ，７Ｐに、上り音声出力データと下り映像音声データは処理部６に接続、入出力される。
処理部６は、ヘッド部２で撮影した被写体の映像信号と収録した音声信号の所定の伝送用信号への変換処理、カメラマンへの連絡用の音声信号の出力処理、撮影している映像信号の表示部８の第２の端子への出力処理等を行う。
【００１０】
復号化部７Ｒは、後述の制御信号が与えられている間だけ、入力されたＲＥＴ映像の圧縮データを復号伸張し、復元したＲＥＴ信号を表示部８の第１の入力端子に出力するように動作する。  復号化部７Ｐの出力は、出力利用検出部９Ｏに入力され、出力利用検出部９Ｏの出力は制御部９Ｐに入力される。
ヘッド伝送部１１からの入力有無情報は、制御部９Ｐに入力され、制御部９Ｐの出力は復号化部７Ｐの制御端子に入力される。  現在撮影している本線映像信号は、処理部６から表示部８の第２の端子に入力される。
操作部１０の２つの出力の内、復号化部７Ｒの動作、停止を制御する制御信号は復号化部７Ｒの制御端子に、表示部８の表示映像を切り替える制御信号は表示部８の切り替え制御端子に接続される。
【００１１】
次に、本実施例の動作について説明する。
ＣＣＵ部１は、伝送路１２を介してヘッド部２と各種データのやりとりを行う。
ＣＣＵ部１では、符号化部４Ｐにプロンプト入力がある場合、入力有無検出部９Ｉでこれを検出し、この入力有無情報をＣＣＵ伝送部５を経由してヘッド部２に送る。ヘッド部２の処理部６は、本線映像音声データを、ヘッド伝送部１１、伝送路１２、ＣＣＵ伝送部５を介してＣＣＵ部１内の処理部３に送る。  処理部３は、これらデータを本線映像音声データとして復元し、本線映像音声信号端子からＣＣＵ部１の外部に出力する。
また、送り返し音声は処理部３を経て送り返し音声データとして、ＣＣＵ伝送部５に入力され、伝送路１２、ヘッド部２のヘッド伝送部１１を介して、処理部６に送られる。  処理部６は、送り返し音声データを復元し、ヘッド部２の外部に出力する。
ＣＣＵ部１の符号化部４Ｒ，４Ｐは、入力されたＲＥＴ、プロンプトの各信号を圧縮符号化し、それぞれの圧縮データを作成する。  この圧縮データは、上りデータとしてＣＣＵ伝送部５に入力され、伝送路１２、ヘッド部２のヘッド伝送部１１を介して、復号化部７Ｒ，７Ｐに送られる。
【００１２】
ここで、カメラマンがＲＥＴ映像を必要とし、操作部１０を操作（ＲＥＴ映像選択操作）した場合、操作部１０からは、対応する操作状態を示す信号が、出力される。  すなわち、操作部１０は、復号化部７を動作状態とする制御信号を復号化部７Ｒに、切り替え制御信号を表示部８に出力する。  その結果、復号化部７Ｒは動作状態となり、表示部８の表示映像は、復号化部７Ｒで復元された送り返し映像に切り替わる。
一方、プロンプト出力を必要とするヘッド部２では、プロンプト出力端子ＰＯに、ケーブルを介して図示しないプロンプト装置が接続されている。  そこで、出力利用検出部９Ｏにて、プロンプト出力端子ＰＯにケーブルが接続されているか否かを検出し、このケーブル接続情報を制御部９Ｐに出力する。
制御部９Ｐは、例えば、図３に示すような論理積をとる構成となっており、上記ケーブル接続情報を端子Ｉ２から、ＣＣＵ部１からの入力有無情報を端子Ｉ１から得る。  ここで、両者共に論理１であれば、復号化部７Ｐの制御端子に論理１の制御信号が与えられ、復号化部７Ｐは動作状態となり、圧縮データを復号し、プロンプト信号としてプロンプト出力端子ＰＯに出力する。
【００１３】
図４に、出力利用検出部９Ｏの一実施例の構成を示す。９Ｏ−１は出力端子を電源電圧にプルアップする抵抗で、その値は７５Ωの２０倍以上が適当である。
９Ｏ−２は、出力端子の直流電位によって出力論理を変更するコンパレータである。  一般に、映像信号は、インピーダンス７５Ωで出力され、同軸ケーブルにて他の機器に接続され、その機器において７５Ωで終端される。  そのため、プロンプト出力端子ＰＯに、ケーブルを介してプロンプト装置が接続されている場合、出力利用検出部９Ｏのコンパレータ９Ｏ−２の入力電位は約半分になる。
従って、コンパレータ９Ｏ−２のしきい値電位を所定の値に設定することで、プロンプト出力の利用の有無を検出することができる。
他の検出手段として、プロンプト出力端子ＰＯのコネクタ自体に、ケーブルが接続されると、機械的にそれを検知するスイッチを内蔵したものを使用することが考えられる。
【００１４】
以上のように、本実施例は、ＣＣＵ部側でのプロンプト信号入力の有無検出に加えて、ヘッド部側にてプロンプト出力の利用状況の検出を行い、ＣＣＵ部側にプロンプト信号が入力された状態で、かつ、プロンプト出力が真に利用されている場合のみ、プロンプト信号の復号化部を復号化動作させる構成、制御である。そのため、プロンプト映像を利用しないカメラセットにおいては、復号化の処理動作をしてしまうことがなくなり、消費電流を低減でき、低電力で小型のカメラシステムを実現することができる。
なお、以上の実施例は、カメラヘッド部とＣＣＵ部間の伝送を例として説明したが、本発明はこれに限定されるものではなく、ＦＰＵ(Field Pick-up Unit)間や、ケーブルテレビなどの伝送装置間、あるいは複数の画像を切り替え表示して監視する監視システム等、伝送されてくる複数の圧縮データの中から、所定のデータを選択し、復号伸張して使用する、各種のデータ伝送システムにも、同様に適用できることは言うまでもない。
【００１５】
【発明の効果】
本発明によれば、ＣＣＵ部側にプロンプト信号が入力された状態で、かつ、ヘッド部側にてプロンプト出力が真に利用されている場合のみ、プロンプト信号の復号化部を復号化動作させる構成、制御であるため、プロンプト映像を利用しないカメラセットにおいては、復号化の処理動作をしてしまうことがなくなり、消費電流を低減でき、低電力で小型のカメラシステムを実現することができる。
【図面の簡単な説明】
【図１】本発明の一実施例の全体構成を示すブロック図
【図２】本発明の復号化部７Ｒ，７Ｐの一例の構成を示すブロック図
【図３】本発明の制御部９Ｐの一例の構成を示すブロック図
【図４】本発明の出力利用検出部９Ｏの一例の構成を示すブロック図
【図５】本発明以前の構成を示すブロック図
【符号の説明】
１：ＣＣＵ部、２：ヘッド部、３，６：処理部、４Ｒ，４Ｐ：符号化部、５：ＣＣＵ伝送部、７Ｒ，７Ｐ：復号化部、７−１：復号チップ、８：表示部、９Ｉ：入力有無検出部、９Ｏ：出力利用検出部、９Ｐ：制御部、９Ｏ−１：抵抗、９Ｏ−２：コンパレータ、１０：操作部、１１：ヘッド伝送部、１２：伝送路。
【図１】
0003707751.tif 000002
【図２】
0003707751.tif 000003
【図３】
0003707751.tif 000004
【図４】
0003707751.tif 000005
【図５】
0003707751.tif 000006